(57)【特許請求の範囲】
【請求項１】
音響装置であって、
ユーザの少なくとも頸部の周りに装着されるように構成及び配置されるとともにハウジングを備えるネックループと、
前記ネックループから延在している保持部材であって、前記ユーザの前記頸部又は胴体との接触によって該音響装置を安定化させるような大きさで構成されている前記保持部材と、
第１の音響ドライバと、
第２の音響ドライバと、
前記ネックループ内にあって第１の音出口開口部を備える第１の音響導波路と、
前記ネックループ内にあって第２の音出口開口部を備える第２の音響導波路と、
を備え、
前記第１の音響ドライバは、前記第１の音響導波路内に、かつ前記第１の音出口開口部を通して前記ネックループから外方に、音を発する一方、前記第２の音響導波路内へは音を発しないよう構成及び配置されており、
前記第２の音響ドライバは、前記第２の音響導波路内に、かつ前記第２の音出口開口部を通して前記ネックループから外方に、音を発する一方、前記第１の音響導波路内へは音を発しないよう構成及び配置されており、
前記第１の音出口開口部は前記第２の音響ドライバの近傍に配置されており、かつ、前記第２の音出口開口部は前記第１の音響ドライバの近傍に配置されてなる、音響装置。
【請求項２】
前記第１の音響ドライバ及び前記第２の音響ドライバが、前記第１の音響ドライバ及び前記第２の音響ドライバが互いに異なる位相の音を発するように駆動される、請求項１に記載の音響装置。
【請求項３】
前記第１の音響ドライバが、前記ハウジングの内部に埋設されており、前記ユーザの一方の耳の予測位置に概略的に向けられている第１の音軸を有しており、
前記第２の音響ドライバが、前記ハウジングの内部に埋設されており、前記ユーザの他方の耳の予測位置に概略的に向けられている第２の音軸を有している、請求項１に記載の音響装置。
【請求項４】
前記第１の音出口開口部が、前記第２の音響ドライバの近傍に配置されており、
前記第２の音出口開口部が、前記第１の音響ドライバの近傍に配置されている、請求項１に記載の音響装置。
【請求項５】
前記第１の音響導波路及び前記第２の音響導波路それぞれが、一方の端部及び他方の端部を有しており、
前記一方の端部が、前記ユーザの頭部の一方の側に及び一方の隣接する耳の近傍且つ下方に配置されている、その対応する音響ドライバを備えており、
前記他方の端部が、前記ユーザの前記頭部の他方の側に及び他方の隣接する耳の近傍且つ下方に配置されている、その音出口開口部に通じている、請求項４に記載の音響装置。
【請求項６】
前記ハウジングが、外壁を有しており、
前記第１の音出口開口部が、前記ハウジングの前記外壁に形成されており、
前記第２の音出口開口部が、前記ハウジングの前記外壁に形成されている、請求項１に記載の音響装置。
【請求項７】
前記第１の音響導波路及び前記第２の音響導波路が共に、前記ハウジングの前記外壁及び前記ハウジングの内壁によって形成されている、請求項６に記載の音響装置。
【請求項８】
前記ハウジングの前記内壁が、前記内壁の長さに沿って１８０°捩れている長手方向軸線に沿って位置している、請求項７に記載の音響装置。
【請求項９】
前記ネックループが、中央部分と第１のレッグ部分及び第２のレッグ部分とを具備する略Ｕ字状に形成されており、
前記第１のレッグ部分及び前記第２のレッグ部分が、前記中央部分から懸架されており、前記ネックループの開端部を形成するように離隔している遠位端部を有しており、
前記ハウジングの前記内壁の捩れが、前記ネックループの前記中央部分に位置している、請求項８に記載の音響装置。
【請求項１０】
前記ハウジングの前記内壁が、略平坦とされ、前記第１の音出口開口部及び前記第２の音出口開口部の下方に配置されている、請求項９に記載の音響装置。
【請求項１１】
前記ハウジングの前記内壁が、前記第１の音出口開口部及び前記第２の音出口開口部それぞれの下方に、隆起した音ダイバータを備えている、請求項１０に記載の音響装置。
【請求項１２】
前記ハウジングが、前記ユーザによって装着された場合に該ユーザの耳に面する頂面を有しており、
前記第１の音出口開口部が、前記ハウジングの前記頂面に形成されており、且つ、前記第２の音出口開口部が、前記ハウジングの前記頂面に形成されている、請求項６に記載の音響装置。
【請求項１３】
前記ハウジングが、前記ユーザによって装着された場合に該ユーザの耳に最接近する頂部分と、前記ユーザによって装着された場合に胴体に最接近する底部分とを有しており、
前記第１の音響導波路及び前記第２の音響導波路それぞれが、前記ハウジングの前記頂部分に部分的に位置しており、且つ、前記ハウジングの前記底部分に部分的に位置している、請求項１に記載の音響装置。
【請求項１４】
前記ネックループが、中央部分と第１のレッグ部分及び第２のレッグ部分とを具備する略Ｕ字状に形成されており、前記第１のレッグ部分及び前記第２のレッグ部分が、前記中央部分から懸架されており、前記ネックループの開端部を形成するように離隔している遠位端部を有しており、前記第１の音響導波路及び前記第２の音響導波路が共に、前記ハウジングの外壁及び前記ハウジングの内壁によって形成されており、前記ハウジングの前記内壁が、前記内壁の長さに沿って捩れている長手方向軸線に沿って位置しており、前記ハウジングの前記内壁の捩れが、前記ネックループの前記中央部分に位置しており、
前記第１の音響ドライバが、前記ネックループの前記第１のレッグ部分に配置されており、前記第２の音響ドライバが、前記ネックループの前記第２のレッグ部分に配置されており、
前記第１の音響導波路が、前記第１の音響ドライバの下方から前記ネックループの前記第１のレッグ部分の前記遠位端部に至るまで、前記ハウジングの前記頂部分に沿って延在しており、前記第１の音響導波路が、前記ネックループの前記第１のレッグ部分の前記遠位端部において、前記ハウジングの前記底部分に向かって回頭し、前記ネックループの前記中央部分の内部において前記第１のレッグ部分に沿って延在しており、前記第１の音響導波路が、前記ネックループの前記中央部分において、前記ハウジングの前記頂部分に向かって回頭し、前記第２のレッグ部分の内部において前記第１の音出口開口部に至るまで延在しており、
前記第２の音響導波路が、前記第２の音響ドライバの下方から前記ネックループの前記第２のレッグ部分の前記遠位端部に至るまで、前記ハウジングの前記頂部分に沿って延在しており、前記第２の音響導波路が、前記ネックループの前記第２のレッグ部分の前記遠位端部において、前記ハウジングの前記底部分に向かって回頭し、前記ネックループの前記中央部分の内部において前記第２のレッグ部分に沿って延在しており、前記第２の音響導波路が、前記ネックループの前記中央部分において、前記ハウジングの前記頂部分に向かって回頭し、前記第１のレッグ部分の内部において前記第２の音出口開口部に至るまで延在している、請求項１３に記載の音響装置。
【請求項１５】
前記第１の音響ドライバは前記ハウジングの第１の遠位端部の近傍に位置している、請求項１に記載の音響装置。
【請求項１６】
前記第２の音響ドライバは前記ハウジングの第２の遠位端部の近傍に位置している、請求項１５に記載の音響装置。
【請求項１７】
前記ネックループが、中央部分と、第１のレッグ部分及び第２のレッグ部分とを有し、前記第１のレッグ部分及び前記第２のレッグ部分が、前記中央部分から懸架されておりかつ前記ネックループの開端部を形成するように離隔している遠位端部を有しており、前記第１の音響ドライバが前記第１のレッグ部分に配置され、かつ前記第２の音響ドライバが前記第２のレッグ部分に配置されてなる、請求項１に記載の音響装置。
【請求項１８】
音響装置であって、
ユーザの少なくとも頸部の周りに装着されるように構成及び配置されているネックループであって、第１の音出口開口部を具備する第１の音響導波路と第２の音出口開口部を具備する第２の音響導波路とを有している、ハウジングを備えている前記ネックループと、
前記第１の音響導波路に音響的に結合されている第１の後面開放型音響ドライバであって、音を前記第１の音響導波路内に発するが前記第２の音響導波路内には発しないよう構成された前記第１の後面開放型音響ドライバと、
前記第２の音響導波路に音響的に結合されている第２の後面開放型音響ドライバであって、音を前記第２の音響導波路内に発するが前記第１の音響導波路内には発しないよう構成された前記第２の後面開放型音響ドライバと、
前記ネックループの前記ハウジングから延在している保持部材であって、前記ユーザの前記頸部又は胴体との接触によって前記音響装置を安定化させるような大きさで構成されている前記保持部材と、
を備えている前記音響装置において、
前記第１の音出口開口部が、前記第２の後面開放型音響ドライバの近傍に配置されており、且つ、前記第２の音出口開口部が、前記第１の後面開放型音響ドライバの近傍に配置されており、
前記第１の後面開放型音響ドライバ及び前記第２の後面開放型音響ドライバが互いに異なる位相の音を発するように駆動される、音響装置。
【請求項１９】
前記第１の音響導波路及び前記第２の音響導波路が共に、前記ハウジングの外壁及び前記ハウジングの内壁によって形成されており、
前記ハウジングの前記内壁が、前記内壁の長さに沿って捩れている長手方向軸線に沿って位置している、請求項１８に記載の音響装置。
【請求項２０】
前記ネックループが、中央部分と第１のレッグ部分及び第２のレッグ部分とを具備する略Ｕ字状に形成されており、前記第１のレッグ部分及び前記第２のレッグ部分が、前記中央部分から懸架されており、前記ネックループの開端部を形成するように離隔している遠位端部を有しており、前記ハウジングの前記内壁の捩れが、前記ネックループの前記中央部分に位置している、請求項１９に記載の音響装置。
【請求項２１】
前記ハウジングが、前記ユーザによって装着された場合に該ユーザの耳に最接近する頂部分と、前記ユーザによって装着された場合に胴体に最接近する底部分とを有しており、
前記第１の音響導波路及び前記第２の音響導波路それぞれが、前記ハウジングの前記頂部分に部分的に位置しており、且つ、前記ハウジングの前記底部分に部分的に位置している、請求項２０に記載の音響装置。
【請求項２２】
音響装置であって、
ユーザの頸部の周りに装着されるように構成及び配置されているネックループであって、前記ネックループが、第１の音出口開口部を具備する第１の音響導波路と第２の音出口開口部を具備する第２の音響導波路とを有している、ハウジングを備えており、前記第１の音響導波路及び前記第２の音響導波路が共に、前記ハウジングの外壁及び前記ハウジングの内壁によって形成されており、前記ハウジングの前記内壁が、前記内壁の長さに沿って１８０°捩れている長手方向軸線に沿って位置しており、
前記ネックループが、中央部分と第１のレッグ部分及び第２のレッグ部分とを具備する略Ｕ字状に形成されており、前記第１のレッグ部分及び前記第２のレッグ部分が、前記中央部分から懸架されており、前記ネックループの開端部を形成するように離隔している遠位端部を有しており、前記ハウジングの前記内壁の捩れが、前記ネックループの前記中央部分に位置しており、前記ハウジングが、前記ユーザによって装着された場合に前記ユーザの耳に最接近する頂部分と、前記ユーザによって装着された場合に胴体に最接近する底部分とを有しており、前記第１の音響導波路及び前記第２の音響導波路それぞれが、前記ハウジングの前記頂部分に部分的に位置しており、且つ、前記ハウジングの前記底部分に部分的に位置しており、前記ネックループが、前記ユーザの前記頸部又は胴体との接触によって前記音響装置を安定化させるような大きさで構成されている保持部材を備えている、前記ネックループと、
前記第１の音響導波路に音響的に結合されている第１の後面開放型音響ドライバであって、前記ネックループの前記第１のレッグ部分に配置されている前記第１の後面開放型音響ドライバと、
前記第２の音響導波路に音響的に結合されている第２の後面開放型音響ドライバであって、前記ネックループの前記第２のレッグ部分に配置されている前記第２の後面開放型音響ドライバと、
を備えている前記音響装置において、
前記第１の後面開放型音響ドライバ及び前記第２の後面開放型音響ドライバが、前記第１の後面開放型音響ドライバ及び前記第２の後面開放型音響ドライバが互いに異なる位相の音を発するように駆動され、かつ
前記第１の音出口開口部が前記第２の後面開放型音響ドライバの近傍に配置され、かつ前記第２の音出口開口部が前記第１の後面開放型音響ドライバの近傍に配置されている、
音響装置。
【発明の詳細な説明】
【技術分野】
【０００１】
［関連出願の相互参照］
本出願は、２０１４年７月１８日に出願した米国仮特許出願第６２／０２６，２３７号の利益を主張する２０１５年７月１４日に出願した米国特許出願第１４／７９９，２６５号の一部継続出願であり、これらの全体の内容が参照により本明細書に組み込まれている。
【０００２】
この開示は、音響装置に関する。
【背景技術】
【０００３】
ヘッドセットは、耳の上に、耳を覆って又は耳の中に設置される音響ドライバを有する。ヘッドセットは、このように装着することがいくらか目障りであり、周囲の音を聞くユーザの能力を妨げる。
【発明の概要】
【課題を解決するための手段】
【０００４】
下記に述べるすべての例及び特徴を、いずれかの技術的に可能な方法と組み合わせることができる。
【０００５】
本音響装置は、耳の上の、耳を覆う又は耳の中の音響ドライバを用いずに各耳への高品質な音を指向する。音響装置は、頸部の周りに装着されるように設計される。音響装置は、ハウジングを有するネックループを含むことができる。ネックループは、鎖骨の上方に又は近くに置かれる２つのレッグ及び頸部の後ろに置かれる湾曲した中央部分を有する「馬蹄形」状又は一般的に「Ｕ字」形状を有することができる。音響装置は、ハウジングの各レッグに１つの２つの音響ドライバを有することができる。ドライバは、ドライバの音響軸が耳のところに向いた状態で、ユーザの耳の予測位置の下方に位置することができる。音響装置は、ハウジング内に２つの導波路をさらに含むことができ、各々の導波路が耳の下方でドライバの近くに出口を有する。一方のドライバの後ろ側を、一方の導波路の入口に音響的に結合することができ、他方のドライバの後ろ側を、他方の導波路の入口に音響的に結合することができる。各導波路は、それぞれ、一方の耳（左又は右）の下方に位置し音を供給するドライバを有する一方の端部、及び他方の耳（右又は左）の下方に位置する他方の端部（開端部）を有することができる。
【０００６】
導波路は、ハウジング内で相互に折れ重なることができる。各導波路の入口及び出口がハウジングの頂面側のところに位置するように、導波路を構成し配置することができる。各導波路が導波路の長さに沿って全体として終始同じ断面積を有するように、導波路を構成し配置することができる。各導波路が、一方のドライバの直後で始まり、レッグの端部までネックループの隣接するレッグ内のハウジングの頂部分に沿って下に延び、ハウジングの底部分へと下に曲がり、レッグを上に戻って延びるように１８０度曲がり、次いで中央部分を横切り、他方のドライバの直後に位置する出口まで他方のレッグの頂部分を下って戻るように、導波路を構成し配置することができる。各導波路は、ネックループの中央部分内でハウジングの底部から頂部分へと位置をひっくり返すことができる。
【０００７】
一態様では、音響装置は、頸部の周りに装着されるように構成され且つ配置されるネックループを含む。ネックループは、第１の音出口開口部を有する第１の音響導波路及び第２の音出口開口部を有する第２の音響導波路を備えるハウジングを含む。第１の音響導波路に音響的に結合された第１の後面開放型音響ドライバ及び第２の音響導波路に音響的に結合された第２の後面開放型音響ドライバがある。
【０００８】
実施形態は、下記の特徴のうち一の特徴、又は当該特徴の任意の組合せを含むことができる。第１及び第２の音響ドライバを、第１及び第２の音響ドライバがスペクトルの少なくとも一部にわたり異相である音を発するように駆動することができる。第１の後面開放型音響ドライバを、ハウジングにより保持することができ、この音響ドライバはユーザの一方の耳の予測位置のところに全体として向けられる第１の音軸を有することができ、第２の後面開放型音響ドライバを、やはりハウジングにより保持することができ、この音響ドライバはユーザの他方の耳の予測位置のところに全体として向けられる第２の音軸を有することができる。第１の音出口開口部は、第２の音響ドライバに近接して位置することができ、第２の音出口開口部は、第１の音響ドライバに近接して位置することができる。各導波路は、頭部の一方の側のところで且つ隣接する耳に近接し下方に位置する対応する音響ドライバを含む一方の端部、及び頭部の他方の側のところで且つ他方の隣接する耳に近接し下方に位置する導波路の音出口開口部に通じるもう一方の端部を有することができる。
【０００９】
実施形態は、上記又は下記の特徴のうち一の特徴、又は当該特徴の任意の組合せを含むことができる。ハウジングは外壁を有することができ、第１及び第２の音出口開口部を、ハウジングの外壁内に画定することができる。導波路を、ハウジングの外壁及びハウジングの内壁により両者とも画定することができる。ハウジングの内壁は、長手方向軸線の長さに沿って１８０°捩れる長手方向軸線に沿って置かれることがある。ネックループを、中央部分、並びに中央部分から垂れ下がり、且つネックループの開端部を画定するように間隔を空けて離れる遠位端部を有する第１及び第２のレッグ部分を有し、全体として「Ｕ字」形状にすることができ、ハウジング内壁内の捩れ部が、ネックループの中央部分内に位置する。ハウジングの内壁は、全体として平坦であり、両方の音出口開口部の下に置かれる。ハウジングの内壁は、音出口開口部の各々のすぐ下に立ち上がった音ダイバータを備えることができる。ハウジングは、ユーザにより装着されたときに耳に面する頂面を有することができ、第１及び第２の音出口開口部は、ハウジングの頂面内に画定される。
【００１０】
実施形態は、上記又は下記の特徴のうち一の特徴、又は当該特徴の任意の組合せを含むことができる。ハウジングは、ユーザにより装着されたときに耳に最も近い頂部分及びユーザにより装着されたときに胴体に最も近い底部分を有することができ、各導波路は、ハウジングの頂部分内に一部が及びハウジングの底部分内に一部が置かれることがある。ネックループを、中央部分、並びに中央部分から垂れ下がり、且つネックループの開端部を画定するように間隔を空けて離れる遠位端部を有する第１及び第２のレッグ部分を含み、全体として「Ｕ字」形状にすることができる。ハウジング内壁内の捩れ部は、ネックループの中央部分内に位置することができる。第１の音響ドライバは、ネックループの第１のレッグ部分内に位置することができ、第２の音響ドライバは、ネックループの第２のレッグ部分内に位置することができる。第１の音響導波路は、第１の音響ドライバのすぐ下で始まることができ、ネックループの第１のレッグ部分の遠位端部までハウジングの頂部分に沿って延在することができ、ハウジングの底部分へと曲がり、第１の音響導波路がハウジングの頂部分へと曲がり且つ第１の音出口開口部まで第２のレッグ部分へと延在するネックループの中央部分へと第１のレッグ部分に沿って延在することができる。第２の音響導波路は、第２の音響ドライバのすぐ下で始まることができ、第２の音響導波路がハウジングの底部分へと曲がるネックループの第２のレッグ部分の遠位端部までハウジングの頂部分に沿って延在することができ、第２の音響導波路がハウジングの頂部分へと曲がり且つ第２の音出口開口部まで第１のレッグ部分へと延在するネックループの中央部分へと第２のレッグ部分に沿って延在することができる。
【００１１】
別の一態様では、音響装置は、頸部の周りに装着されるように構成され且つ配置されるネックループであって、ネックループが第１の音出口開口部を有する第１の音響導波路及び第２の音出口開口部を有する第２の音響導波路を含むハウジングを備える、ネックループと、第１の音響導波路に音響的に結合された第１の後面開放型音響ドライバであって、第１の後面開放型音響ドライバがハウジングによって保持され、且つユーザの一方の耳の予測位置のところに全体として向けられる第１の音軸を有する、第１の後面開放型音響ドライバと、第２の音響導波路に音響的に結合された第２の後面開放型音響ドライバであって、第２の後面開放型音響ドライバがハウジングによって保持され、且つユーザの他方の耳の予測位置のところに全体として向けられる第２の音軸を有する、第２の後面開放型音響ドライバと、を含み、第１の音出口開口部は、第２の音響ドライバに近接して位置し、第２の音出口開口部は、第１の音響ドライバに近接して位置し、第１及び第２の音響ドライバは、第１及び第２の音響ドライバが異相である音を発するように駆動される。
【００１２】
実施形態は、下記の特徴のうち一の特徴又は当該特徴の任意の組合せを含むことができる。導波路を、ハウジングの外壁及びハウジングの内壁により両者とも画定することができ、ハウジングの内壁は、長手方向軸線の長さに沿って１８０°捩れる長手方向軸線に沿って置かれる。ネックループを、中央部分、並びに中央部分から垂れ下がり、且つネックループの開端部を画定するように間隔を空けて離れる遠位端部を有する第１及び第２のレッグ部分を含み、全体として「Ｕ字」形状にすることができ、ハウジング内壁内の捩れ部が、ネックループの中央部分内に位置する。ハウジングは、ユーザにより装着されたときに耳に最も近い頂部分及びユーザにより装着されたときに胴体に最も近い底部分を有することができ、各導波路は、ハウジングの頂部分内に一部が及びハウジングの底部分内に一部が置かれる。
【００１３】
別の一態様では、音響装置は、頸部の周りに装着されるように構成され且つ配置されるネックループであって、ネックループが第１の音出口開口部を有する第１の音響導波路及び第２の音出口開口部を有する第２の音響導波路を含むハウジングを備え、導波路は、ハウジングの外壁及びハウジングの内壁により両者とも画定され、ハウジングの内壁は、長手方向軸線の長さに沿って１８０°捩れる長手方向軸線に沿って置かれ、ネックループは、中央部分、並びに中央部分から垂れ下がり、且つネックループの開端部を画定するように間隔を空けて離れる遠位端部を有する第１及び第２のレッグ部分を含み、全体として「Ｕ字」形状であり、ハウジング内壁内の捩れ部は、ネックループの中央部分内に位置し、ハウジングは、ユーザにより装着されたときに耳に最も近い頂部分及びユーザにより装着されたときに胴体に最も近い底部分を有し、各導波路は、ハウジングの頂部分内に一部が及びハウジングの底部分内に一部が置かれる、ネックループを含む。第１の音響導波路に音響的に結合された第１の後面開放型音響ドライバがあり、第１の後面開放型音響ドライバは、ネックループの第１のレッグ部分内に位置し、且つユーザの一方の耳の予測位置のところに全体として向けられる第１の音軸を有する。第２の音響導波路に音響的に結合された第２の後面開放型音響ドライバがあり、第２の後面開放型音響ドライバは、ネックループの第２のレッグ部分内に位置し、且つユーザの他方の耳の予測位置のところに全体として向けられる第２の音軸を有する。第１及び第２の音響ドライバは、第１及び第２の音響ドライバが異相である音を発するように駆動される。第１の音出口開口部は、第２の音響ドライバに近接して位置し、第２の音出口開口部は、第１の音響ドライバに近接して位置する。第１の音響導波路は、第１の音響ドライバのすぐ下で始まり、第１の音響導波路がハウジングの底部分へと曲がるネックループの第１のレッグ部分の遠位端部までハウジングの頂部分に沿って延在し、第１の音響導波路がハウジングの頂部分へと曲がり且つ第１の音出口開口部まで第２のレッグ部分へと延在するネックループの中央部分へと第１のレッグ部分に沿って延在し、第２の音響導波路は、第２の音響ドライバのすぐ下で始まり、第２の音響導波路がハウジングの底部分へと曲がるネックループの第２のレッグ部分の遠位端部までハウジングの頂部分に沿って延在し、第２の音響導波路がハウジングの頂部分へと曲がり且つ第２の音出口開口部まで第１のレッグ部分へと延在するネックループの中央部分へと第２のレッグ部分に沿って延在する。
【図面の簡単な説明】
【００１４】
【図１】音響装置の頂面斜視図である。
【図２】ユーザにより装着される音響装置の頂面斜視図である。
【図３】音響装置の右側面図である。
【図４】音響装置の前面図である。
【図５】音響装置の背面図である。
【図６】音響装置のハウジングの内部隔壁又は壁の頂面斜視図である。
【図７】図１の線７−７に沿って取った音響装置の第１の断面図である。
【図８】図１の線８−８に沿って取った音響装置の第２の断面図である。
【図９】図１の線９−９に沿って取った音響装置の第３の断面図である。
【図１０】音響装置用の電子部品の模式的ブロック図である。
【図１１】音響装置のドライバが同相及び異相の両方で駆動される状態で、ダミーヘッドの耳のところでの音圧レベルのプロットである。
【図１２Ａ】ユーザにより装着される様々な安定化素子を含む音響装置の頂面斜視図である。
【図１２Ｂ】ユーザにより装着される様々な安定化素子を含む音響装置の頂面斜視図である。
【図１２Ｃ】ユーザにより装着される様々な安定化素子を含む音響装置の頂面斜視図である。
【発明を実施するための形態】
【００１５】
音響装置は、耳と直接接触せず且つ周囲の音を遮らず耳への高品質な音を指向する。音響装置は、目障りではなく、（衣服が十分に音響的に透明である場合には）衣服の下に、又は衣服の上に装着することができる。
【００１６】
一態様では、音響装置は、頸部の周りに装着されるように構成され配置される。音響装置は、ハウジングを含むネックループを有する。ネックループは、頸部の両側の胴体の頂面を覆って設置される２つのレッグ及び頸部の後方に設置される湾曲した中央部分を含む馬蹄形状の形状を有する。装置は、ハウジングの各レッグに１つずつ２つの音響ドライバを有する。ドライバは、ドライバの音響軸が耳に向いた状態でユーザの耳の予測位置の下方に位置する。音響装置はまた、ハウジング内に２つの導波路を有し、各導波路が耳の下方でドライバの近くに出口を有する。一方のドライバの裏側を、一方の導波路への入口に音響的に結合し、他方のドライバの裏側を、他方の導波路への入口に音響的に結合する。各導波路は、それぞれ、一方の耳（左又は右）の下方に位置し音を供給するドライバを有する一方の端部、及び他方の耳（右又は左）の下方に位置する他方の端部（開端部）を有する。
【００１７】
音響装置の非限定的な例を図面に示す。これはしかし主題の音響装置を図示するはずの多くの可能性のある例のうち一の例である。発明の範囲は、例によっては限定されず、むしろ例によりサポートされる。
【００１８】
音響装置１０（図１〜図９）は、馬蹄形の形状の（又は、おそらく一般的に「Ｕ字」形状の）ネックループ１２を含み、例えば、図２に示したように、ネックループを人の頸部の周りに装着できるようにネックループを成形し、構成しそして配置する。ネックループ１２は、頸部“Ｎ”の首すじのところに設置される湾曲した中央部分２４、並びにそれぞれ、中央部分２４から垂れ下がり、一般に鎖骨「Ｃ」の上方又は近くに頸部の両側で胴体の上部にもたれかかるように構成され配置される右及び左レッグ２０及び２２を有する。図３〜図５は、音響装置１０が頸部及び胸の上部領域に心地良くもたれかかり設置されることに役立つ全体の形を図示している。
【００１９】
ネックループ１２は、ハウジング１３を含み、ハウジングは本質的に、閉じた遠位端部２７及び２８を有する細長い（硬い又は柔軟な）大部分が中空の硬いプラスチック管（音のインレット及びアウトレット開口部を除く）である。いくつかの例では、ハウジング１３は、一体型の壁（隔壁）１０２により内部を分割される。１つの非限定的な例では、２つの内部導波路を、ハウジングの外壁と隔壁１０２とによって画定する。ハウジング１３は、音が導波路を通るときに実質的に劣化しないように十分に硬いはずである。右及び左ネックループレッグ２０及び２２の端部２７及び２８間の横方向距離”Ｄ”が典型的な人間の頸部の幅よりも狭いこの非限定的な例では、装置１０を身に着け取り外すときに端部２７及び２８が離れ、しかも図面に示した静止形状に戻るように、ネックループはやはり十分に柔軟である必要がある。適切な物理的特性を有する多くの可能性のある材料のうち一の材料は、ポリウレタンである。他の材料を使用できるはずである。また、装置を他の方式でも構成できるはずである。例えば、装置ハウジングを、例えば、留め具及び／又は接着剤を使用して一緒に結合される多数の別々の部分から作ることができるはずである。そして、レッグが胸の上部にもたれかかった状態で装置が頸部の後ろに置かれるときにネックループレッグが離れなければならないように、ネックループレッグを配置する必要がない。
【００２０】
ハウジング１３は、右及び左の音響ドライバ１４及び１６を保持する。ドライバは、ハウジング１３の上表面３０のところで、耳”Ｅ”の予測位置の下方に位置する。図２参照。ハウジング１３は、下側表面３１を有する。（図面には示されていない）ドライバの音響軸を全体として装着者／ユーザの耳の予測位置のところに向ける必要があるので、ドライバを示したように後ろに向かって（後方に）傾ける又は角度を付けることができる。ドライバは、耳の予測位置のところに向いた音響軸を有することができる。各ドライバは、最も近い耳の予測位置から約１０ｃｍで、他方の耳の予測位置から約２６ｃｍ（この距離を最も遠くの耳に至るまであごの下を通る柔軟なテープで測定した）であってもよい。ドライバ間の横方向の距離は、約１５．５ｃｍである。この配置は、近い方の耳のところで他方の耳よりも約３倍大きいドライバからの音圧レベル（ＳＰＬ）という結果をもたらし、これがチャネル分離を維持するために役立つ。
【００２１】
ドライバの近くですぐ後方でありハウジング１３の上部外壁３０に位置するものは、導波路アウトレット４０及び５０である。アウトレット５０は、右側ドライバ１４の後ろのところに入口を有する導波路１１０用のアウトレットである。アウトレット４０は、左側ドライバ１６の後ろのところに入口を有する導波路１６０用のアウトレットである。図７〜図９参照。従って、各耳は、一方のドライバの前からの出力及び他方のドライバの後ろからの出力を直接受け取る。ドライバが異相で駆動される場合には、各耳によって受け取られる２つの音響信号は、基本導波路４分の１共鳴周波数の下では事実上同相であり、本非限定的例では、約１３０〜３６０Ｈｚである。これが、各ドライバからであり同じ側の対応する導波路アウトレットからの低周波数放射が同相であり且つ相互に打ち消さないことを確実にする。同時に、反対側のドライバからであり対応する導波路からの放射は、異相であるので、ファーフィールドキャンセル（far field cancellation）を行う。これが音響装置から近くにいる他人への音漏れを減少させる。
【００２２】
音響装置１０は、右及び左のボタンソックス（button socks）又は部分ハウジングカバー６０及び６２を含み、ボタンソックスは、音量ボタン６８、電源ボタン７４、制御ボタン７６、及びマイクロフォンを露出させる開口部７２などの装置のユーザインターフェースの態様を規定できる又はサポートできるスリーブである。存在するときには、マイクロフォンは、（ハンドセットのように）通話を行うために装置を使用することを可能にする。他のボタン、スライダ及び類似の制御部を、望むように含むことができる。ユーザインターフェースを、ユーザによる操作を容易にするように、構成し設置することができる。ボタンを見ずに認識できるように、個々のボタンを固有の形状にし、設置することができる。電子部品カバーは、ボタンソックスの下方に位置する。装置１０の機能のために必要なハードウェアを保持するプリント回路基板及び電池は、カバーの下方に位置する。
【００２３】
ハウジング１３は、２つの導波路１１０及び１６０を含む。図７〜図９参照。音は、ドライバのすぐ後ろ／すぐ下の各導波路に入り、ドライバがレッグの端部まで上に位置するネックループレッグの頂面側を下って延び、レッグの端部のところで１８０°向きを変え、ハウジングの底部側まで下り、そして次いでハウジングの底部側に沿ってレッグを上へ戻って延びる。導波路は、ネックループの中央部分の第１の部分の底部側に沿って続く。導波路は、次いで、ネックループの中央部分の端部のところで又は近くで導波路がハウジングの頂面側に戻るように捩れる。導波路は、ネックループの他方のレッグの頂面に位置するアウトレット開口部のところで他方のドライバの近くで終わる。導波路は、ハウジングの外壁と内部一体型隔壁又は壁１０２との間の空間によって形成される。（ハウジングから離れて図６に示した）隔壁１０２は、右レッグ１３０、左レッグ１３８、右端部１１８、左端部１４０、及び中央の１８０°捩れ部１３４を有する一般に平坦な一体型の内部ハウジング壁である。隔壁１０２はやはり、ハウジング軸にほぼ平行に延びる導波路からダイバータの上方のハウジングの上部壁内にあるアウトレット開口部に至るまで音を向ける湾曲した角度付きダイバータ１３２及び１３６も有し、その結果、音が、全体として一方の耳に方に向けられる。
【００２４】
導波路１１０の第１の部分を図７に示す。導波路入口１１４は、右耳の予測位置の方を向いている表側１４ｂを有する音響ドライバ１４の裏面１４ａの直後に位置する。導波路１１０の下向レッグ１１６は、ハウジングの隔壁１０２の上方で上部壁／頂面３０の下方に位置する。折り返し部１２０が、隔壁１０２の端部１１８とハウジング１２の閉じた丸まった端部２７との間に画定される。導波路１１０は、次いで隔壁１０２の下方で導波路１１０の上向部分１２２に続く。導波路１１０は、次いで隔壁１０２の一部であるダイバータ１３２（導波路部分１２４参照）の下に延び、そこでは導波路が中央ハウジング部分２４へと延びるように曲がる。図８及び図９は、２つの同じ導波路１１０及び１６０が、ハウジングの中央部分内で折り重なり相互にひっくり返るハウジングの中央部分に沿ってどのようにして延びるか、その結果、各導波路がハウジングの頂部分内でどのようにして始まり、終わるかを図示する。これは、各導波路がネックループの一方のレッグ内で一方のドライバの後ろに結合され、他方のドライバの近くで他方のレッグ内のハウジングの頂面に導波路のアウトレットを有することを可能にする。図８及び図９はやはり、隔壁１０２の第２の端部１４０、及びドライバ１６の後ろで始まり、導波路がレッグ２２の底部へ曲がり、中央部分２４へとレッグ２２を上って延びるレッグ２２の上部まで下って延びる導波路１６０の配置も示している。導波路１１０及び１６０は、基本的に相互に鏡像である。
【００２５】
１つの非限定的な例では、各導波路は、一般に環状のアウトレット開口部を含め導波路の全長さに沿って、約２ｃｍ２の一般に終始同じ断面積を有する。１つの非限定的な例では、各導波路は、約２２〜４４ｃｍの範囲内の、１つの特定の例では４３ｃｍに極めて近い総合的な長さを有する。１つの非限定的な例では、導波路は、約１５０Ｈｚのところで共鳴を起こすように十分に長い。より一般的に、音響装置の主要寸法（例えば、導波路長さ及び断面積）は、人間工学により主として規定され、一方で適正な音響共鳴及び機能を、適正なオーディオ信号処理により確実にする。他の導波路配置、形状、サイズ、及び長さが、本開示の範囲内であると想定される。
【００２６】
音響装置用の電子部品の例示的であるが非限定的な例を図１０に示す。この例では、装置は、スマートフォン又は別の音源にワイアレスでつなげることができるワイアレスヘッドセットとして機能する。ＰＣＢ１０３は、マイクロフォン１６４及びマイク処理部を保持する。アンテナは、別の装置からオーディオ信号（例えば、音楽）を受信する。Ｂｌｕｅｔｏｏｔｈ（登録商標）無線通信プロトコル（及び／又は他の無線プロトコル）をサポートする。ユーザインターフェースを、ＰＣＢ１０３及びＰＣＢ１０４の両者の一部として保持することができるが、必ずしも必要ではない。システムオンチップは、増幅されそしてＰＣＢ１０４上のＬ及びＲオーディオ増幅器に与えられるオーディオ信号を発生する。増幅した信号を、上に説明したように後面開放型音響ドライバである左及び右のトランスデューサ（ドライバ）１６及び１４へ送る。音響ドライバは、４０ｍｍの直径及び１０ｍｍの深さを有することができるが、必ずしもこれらの寸法を有する必要はない。ＰＣＢ１０４は、音響装置に関するすべての電力を供給する充電可能電池１０６とインターフェースする電池充電回路をやはり保持する。
【００２７】
図１１は、上に説明した音響装置を用いた一方の耳のところのＳＰＬを図示する。プロット１９６は、異相で駆動されたドライバを用いたものであり、プロット１９８は同相で駆動されたドライバを用いたものである。約１５０Ｈｚよりも下では、異相ＳＰＬは、同相駆動法よりも高い。異相駆動法の利点は、６０〜７０Ｈｚの最低周波数において１５ｄＢまでである。同じ効果が、約４００から約９５０Ｈｚまでの周波数範囲内で生じる。１５０〜４００Ｈｚの周波数範囲内では、同相ＳＰＬは、異相ＳＰＬよりも高く、この周波数範囲内で最高のドライバ性能を得るために、左及び右チャネル間の位相差を、ひっくり返してゼロに戻すはずである。１つの非限定的な例では、チャネル間の位相差は、限定された位相変化スロープを有するいわゆるオールパスフィルタを使用して実現される。これらは、音再生に有害な効果を有することがある急峻な位相変化よりもむしろゆっくりとした位相変化を与える。これが、音響装置のパワー効率を保証しながら適正な位相選択の利点を可能にする。約１ＫＨｚよりも上では、左及び右チャネル間の位相差は、より高い周波数のところではチャネル間の相関の欠如のために、ＳＰＬへの影響は、はるかに小さい。
【００２８】
図１２Ａから図１２Ｃは、装置を装着しているユーザに対する追加の支持及び保定を提供する安定化素子をさらに含む音響装置１０の３つの非限定的な例を描いている。安定化素子は、例えば、ランニング、ジョギング、スキー、マウンテンバイキング、及びウェイトトレーニングなどの激しい運動中の使用のため所定の場所に音響装置１０を保つように機能する。
【００２９】
図１〜図９に関して上に説明したように、図１２Ａから図１２Ｃの音響装置１０は、ネックループ１２（図１）、頸部“Ｎ”（図２）の首すじのところに設置される湾曲した中央部分２４（図１）、並びにそれぞれ中央部分２４から垂れ下がり、全体として鎖骨「Ｃ」（図２）の上方又は近くで頸部の両側の胴体上部にもたれかかるように構成され且つ配置される右及び左レッグ２０及び２２を含む。図１２Ａから図１２Ｃの音響装置１０は、１つ又は複数のドライバ（図示せず）を含む。ドライバは、音響装置１０のハウジングの表面上又はその下方に、一般にそれぞれ右及び左レッグ２０及び２２内で耳”Ｅ”（図２）の予測位置の下方に設置されることがある。前に説明したように、ドライバは、全体としてユーザの耳の予測位置のところにドライバの音響軸を向けるように角度を付けられることがある。各ドライバは、最も近い耳の予測位置から約１０ｃｍで、他方の耳の予測位置から約２６ｃｍ（この距離を最も遠くの耳に至るまであごの下を通る柔軟なテープで測定した）であってもよい。ドライバ間の横方向の距離は、約１５．５ｃｍである。図１２Ａから図１２Ｃの音響装置１０はまた、それぞれ右及び左レッグ２０及び２２に沿ってドライバの近くで且つすぐ後ろに位置する導波路アウトレット（図示せず）であってもよい。
【００３０】
図１２Ａは、音響装置１０に取り付けられたストラップ２００及び離脱可能留め具２０２を含み、これらは一緒に、ユーザが激しい運動中の使用のために胴体に装置を離脱可能に固定することを可能にすることによりさらなる安定性を提供する音響装置１０を示す。図１２Ｂは、ユーザの頸部の後ろ及び横に接触する又は少なくとも部分的に接触するように設計され、大きさを決められ且つ構成される安定化カラー２０４を含む音響装置１０を示す。安定化カラー２０４は、上に説明した運動中に音響装置１０を使用するためのさらなる安定性を提供する。図１２Ｃは、上に説明した運動中に音響装置１０の使用のためのさらなる安定性を与えるための膨張式チャンバ２０６を含む音響装置１０を示す。チャンバ２０６は、ユーザの頸部の後ろ及び横に接触するように設計され、大きさを決められ且つ構成される。この例では、チャンバ２０６を、ユーザにとって十分な安定性及び心地良さを与える圧力レベルまで空気又は他の適切なガスで膨張させることができる。チャンバ２０６の内側の圧力レベルを、特定のユーザにとって又は特定の運動中の使用にとって適切なレベルに調節することができる。チャンバ２０６は、当業者なら理解するように空気の加圧又は解放を容易にするための圧力弁（図示せず）を含むことができる。１つの非限定的な例では、チャンバ２０６は、チャンバが膨張するにつれてユーザの頸部に対して所定の形状又は圧力の方向を与えるために多数のサブチャンバ又はセグメントを含むことができる。
【００３１】
音響装置１０のハウジングは、装置ハウジングの一部分又はすべてを取り囲む外板又はカバーを含むことができる。１つの例では、カバーが音響装置１０のそれぞれ右及び左レッグ２０及び２２内のドライバ及び／又は導波路アウトレットにかぶさる位置に、カバーは、音響的に透明な領域を含む。いくつかの例では、カバーは、音響装置１０を引っかき傷又は擦り傷から保護するように、音響装置１０を装着している間にユーザにさらなる心地良さを提供するように働き、並びに／又は装置１０の外観のカスタマイゼーションを可能にすることができる。外板は、音響装置１０に脱着可能に又は恒久的に取り付けられてもよい。
【００３２】
上に説明したシステム及び方法の実施形態は、当業者には明らかであろうコンピュータ部品及びコンピュータに実装されるステップを含む。例えば、コンピュータに実装されるステップを、例えば、フロッピディスク、ハードディスク、光ディスク、フラッシュＲＯＭ、不揮発性ＲＯＭ、及びＲＡＭなどのコンピュータ可読媒体上にコンピュータ実行可能な命令として記憶できることを当業者なら理解するはずである。さらにその上、コンピュータ実行可能な命令を、例えば、マイクロプロセッサ、ディジタル信号プロセッサ、ゲートアレイ、等などの様々なプロセッサ上で実行できることを当業者なら理解するはずである。解説を容易にするために、上に説明したシステム及び方法のステップ又は要素のすべてではないが、本明細書においてはコンピュータシステムの一部として説明するが、各ステップ又は要素が、対応するコンピュータシステム又はソフトウェア構成要素を有することがあることを、当業者なら認識するであろう。このようなコンピュータシステム及び／又はソフトウェア構成要素を、従ってこれらの対応するステップ又は要素（すなわち、これらの機能）を説明することによって有効にすることができ、開示の範囲内である。
【００３３】
多くの実装形態を説明してきている。それにも拘らず、追加の修正を、本明細書において説明した発明の概念の範囲から逸脱せずに行うことができ、従って、他の実施形態が別記の特許請求の範囲の範囲内であることが、理解されるであろう。
【符号の説明】
【００３４】
１０  音響装置
１２  ネックループ
１２  ハウジング
１３  ハウジング
１４  音響ドライバ
１４ａ  裏面
１４ｂ  表側
１６  音響ドライバ
２０  レッグ
２２  レッグ
２４  中央部分
２７  閉じた丸まった端部
２８  端部
３０  外壁
３１  下側表面
４０  アウトレット
５０  アウトレット
６０  ハウジングカバー
６２  ハウジングカバー
６８  音量ボタン
７２  開口部
７４  電源ボタン
７６  制御ボタン
１０２  隔壁
１０３  ＰＣＢ
１０４  ＰＣＢ
１０６  充電可能電池
１１０  導波路
１１４  導波路入口
１１６  下向レッグ
１１８  端部
１２０  折り返し部
１２２  上向部分
１２４  導波路部分
１３０  右レッグ
１３２  ダイバータ
１３４  捩れ部
１３６  ダイバータ
１３８  左レッグ
１４０  左端部
１６０  導波路
１６４  マイクロフォン
１９６  プロット
１９８  プロット
２００  ストラップ
２０２  離脱可能留め具
２０４  安定化カラー
２０６  膨張式チャンバ
Ｃ  鎖骨
Ｄ  横方向距離
Ｅ  耳
【図１】
0006594530.tif 000002
【図２】
0006594530.tif 000003
【図３】
0006594530.tif 000004
【図４】
0006594530.tif 000005
【図５】
0006594530.tif 000006
【図６】
0006594530.tif 000007
【図７】
0006594530.tif 000008
【図８】
0006594530.tif 000009
【図９】
0006594530.tif 000010
【図１０】
0006594530.tif 000011
【図１１】
0006594530.tif 000012
【図１２Ａ】
0006594530.tif 000013
【図１２Ｂ】
0006594530.tif 000014
【図１２Ｃ】
0006594530.tif 000015